(57)【要約】      （修正有）【課題】一体構成のリアグリップ部を備えた釣竿において、リアグリップ部のホールド感やグリップ力を確保しつつ更なる軽量化した釣竿の提供。【解決手段】中空のリアグリップ部３１が一体的に径方向外側に膨出形成された竿体２１を備えると共に、リールシート１を備えた釣竿であって、リアグリップ部３１は、竿体２１の中心に対して下側にオフセットしており、リアグリップ部３１の断面形状は、左右対称の非円形状であって且つ、上面４０の曲率半径が外接円の半径よりも大きい形状である。【選択図】図１
2019050745.tif 000002
【特許請求の範囲】
【請求項１】
中空のリアグリップ部が一体的に径方向外側に膨出形成された竿体を備えると共に、リールシートを備えた釣竿であって、
リアグリップ部は、竿体の中心に対して下側にオフセットしていることを特徴とする釣竿。
【請求項２】
リアグリップ部の断面形状は、左右対称の非円形状であって且つ、上面の曲率半径が外接円の半径よりも大きい形状である請求項１記載の釣竿。
【請求項３】
リアグリップ部の下面の変曲点よりも後側の領域において、リアグリップ部の断面形状は、下側に向かって細くなった形状である請求項２記載の釣竿。
【請求項４】
リアグリップ部の下面の変曲点よりも後側の領域において、リアグリップ部の下面の曲率半径は、後側に向けて徐々に大きくなっている請求項２又は３記載の釣竿。
【請求項５】
リアグリップ部の下面の変曲点に角部が形成されている請求項１乃至４の何れかに記載の釣竿。
【請求項６】
中空のリアグリップ部が一体的に径方向外側に膨出形成された竿体を備えた釣竿であって、
リアグリップ部は、竿体の中心に対してオフセットしていることを特徴とする釣竿。
【発明の詳細な説明】
【技術分野】
【０００１】
本発明は、リアグリップ部が一体的に形成された中空の竿体を備えた釣竿に関する。
【背景技術】
【０００２】
釣竿にリアグリップ部を備える場合、コルクや発泡樹脂から筒状のリアグリップ体を形成してそれを竿本体（ブランク）の後部外周面に装着することにより、筒状のリアグリップ体からリアグリップ部を構成することが多い。しかしながら、リアグリップ部を竿本体とは別体構成とすると、軽量化が困難となり、また、釣竿から手に伝わる感度も低下する。
【０００３】
これに対して、本出願人は中空のリアグリップ竿体の後部を大径化してリアグリップ部を一体的に形成した構成について既に提案している（下記特許文献１参照）。このようにリアグリップ部を竿本体に一体的に形成することによって、軽量化と高感度化を達成することができる。
【０００４】
ところで、リアグリップ部は、例えばキャスト時に、リールシートを把持している手とは反対側の手で把持される。例えば、右手で釣竿を把持する場合には、左手でリアグリップ部を把持していわゆるダブルハンドキャストを行うことができる。リアグリップ部が径方向外側に膨出した形状であるため、リアグリップ部をしっかりとホールドしてキャストすることができる。
【０００５】
リアグリップ部を把持した際に十分なホールド感やグリップ力を確保するためには、リアグリップ部をある程度大径化することが必要である。その一方、釣竿をできる限り軽量化したいという要望も強い。リアグリップ部は一体構成であって、別体構成に比して大幅に軽量化されているが、更なる軽量化も求められる。
【先行技術文献】
【特許文献】
【０００６】
【特許文献１】特許第５７２１５７４号公報
【発明の概要】
【発明が解決しようとする課題】
【０００７】
本発明は、一体構成のリアグリップ部を備えた釣竿において、リアグリップ部のホールド感やグリップ力を確保しつつ更なる軽量化を図ることを課題とする。
【課題を解決するための手段】
【０００８】
本発明は上記課題を解決すべくなされたものであって、本発明に係る釣竿は、中空のリアグリップ部が一体的に径方向外側に膨出形成された竿体を備えると共に、リールシートを備えた釣竿であって、リアグリップ部は、竿体の中心に対して下側にオフセットしていることを特徴とする。尚、上下は、リールシートにリールを装着した状態における通常の使用状態を基準とする。通常、スピニングリールは釣竿の下側に位置し、両軸リールは釣竿の上側に位置する。
【０００９】
該構成の釣竿にリールを装着して釣りを行う際、例えば一方の手である右手でリールシートを把持し、他方の手である左手でリアグリップ部を把持して、ダブルハンドキャストすることができる。リアグリップ部を把持する際、リアグリップ部を下側から握ることになる。そして、リアグリップ部が下側にオフセットされて形成されているので、リアグリップ部における下側への膨出量が確保されていて掴みやすい。一方、リアグリップ部における上側への膨出量は逆に小さくなっており、リアグリップ部の全体としてのボリュームは、下側への膨出量の大きさの割に小さい。
【００１０】
特に、リアグリップ部の断面形状は、左右対称の非円形状であって且つ、上面の曲率半径が外接円の半径よりも大きい形状であることが好ましい。このような構成によれば、リアグリップ部の上面が平面に近い湾曲面となる。例えば魚のアタリを取るときや掛かった魚とやりとりを行う際に、リールシートを持つ手の前腕や肘をリアグリップ部の上面に当てで釣竿を支えることができる。このようにリアグリップ部の上面に肘等を当てることで、釣竿をリールシートを持つ手と肘等とでしっかりと固定することができる。従って、魚をフッキングする際や、掛かった魚とやりとりする際に、釣竿が安定する。また、リアグリップ部に肘等を当てることで、魚のアタリや、錘や仕掛けが海底や岩等に当たるときの様子を伝える振動が、リアグリップ部からも伝わってくる。上述のように、リアグリップ部の上面が平面に近い湾曲面になっていると、肘等を当てる面積が広くなってリアグリップ部の上面に肘等を当てやすくなり、釣竿を肘等でしっかりと支えることができて安定感が向上すると共に、アタリ等の振動も肘等に伝わりやすくなる。尚、上面の曲率半径は、断面形状における最上部近傍の曲率半径としてよい。
【００１１】
更に、リアグリップ部の下面の変曲点よりも後側の領域において、リアグリップ部の断面形状は、下側に向かって細くなった形状であることが好ましい。尚、竿先側を前側とし、竿尻側を後側とする。リアグリップ部の下面は、変曲点よりも前側においては前後方向に沿って上側凸に湾曲していて変曲点よりも後側においては前後方向に沿って下側凸に湾曲している。そして、この下面の変曲点よりも後側の領域において、リアグリップ部の断面形状が下側に向かって細くなった形状であると、下側への膨出量を確保しつつも全体のボリュームを抑制することができて軽量化できる。このように下側に向けて細くなった形状は、例えば、略逆三角形状や略逆台形状、略逆五角形状等があり、特に、略逆三角形状や略逆台形状とすれば、全体のボリュームを抑制しつつリアグリップ部の上面を平面に近い湾曲形状とすることができる。
【００１２】
また、リアグリップ部の下面の変曲点よりも後側の領域において、リアグリップ部の下面の曲率半径は、後側に向けて徐々に大きくなっていることが好ましい。リアグリップ部を把持する際、人差し指や中指では軽めに握り、薬指や小指でしっかりと握ることになる。そのため、薬指や小指が当たる後側の部分の下面の曲率半径を大きくして丸味を帯びた形状とすることで、しっかりと把持することができ、また把持した際の違和感も小さくなる。また、人差し指や中指が当たる前側の部分の下面の曲率半径を小さくすることで、人差し指や中指を当てた際に下面が周方向の引っ掛かりとなって、リアグリップ部に対して手が周方向に滑りにくくなる。尚、下面の曲率半径は、断面形状における最下部近傍の曲率半径としてよい。
【００１３】
また、リアグリップ部の下面の変曲点に角部が形成されていることが好ましい。角部は前後方向の曲率半径が局所的に小さくなった部分であるので、その角部の前側に例えば人差し指を引っ掛けるようにしてリアグリップ部を把持することができる。このように指を角部に引っ掛けることで、手が前後方向に滑りにくくなる。
【００１４】
また、本発明に係る釣竿は、中空のリアグリップ部が一体的に径方向外側に膨出形成された竿体を備えた釣竿であって、リアグリップ部は、竿体の中心に対してオフセットしていることを特徴とする。
【発明の効果】
【００１５】
以上のように、リアグリップ部をオフセットさせることで、リアグリップ部のホールド感やグリップ力を確保しつつ、より一層の軽量化が可能になる。
【図面の簡単な説明】
【００１６】
【図１】本発明の一実施形態における釣竿の要部を示す正面図。
【図２】同釣竿の要部であって、（ａ）は平面図、（ｂ）は底面図。
【図３】同釣竿のリールシート近傍の縦断面図。
【図４】同釣竿のリアグリップ部近傍の縦断面図。
【図５】同釣竿のリアグリップ竿体の後端部の尻栓が装着される前の状態を示し、（ａ）は縦断面図、（ｂ）は（ａ）のＦ矢視図。
【図６】（ａ）は図１のＡ−Ａ端面図、（ｂ）は図１のＢ−Ｂ端面図。
【図７】（ａ）は図１のＣ−Ｃ端面図、（ｂ）は図１のＤ−Ｄ端面図。
【図８】図５（ａ）のＥ−Ｅ端面図。
【図９】本発明の他の実施形態における釣竿の要部を示す正面図。
【発明を実施するための形態】
【００１７】
以下、本発明の一実施形態に係る釣竿について図１〜図８を参酌しつつ説明する。本実施形態における釣竿は、リールを取り付けるためのリールシート１を備えたものである。該リールシート１は、パイプシートとも称される筒状のものであって、釣竿の竿本体（ブランク）に外装されて所定位置に移動不能に固定される。即ち、竿本体がリールシート１を挿通していて、リールシート１は、竿本体の外周面の所定位置に接着等により固定されている。尚、本実施形態におけるリールシート１は、スピニングリールを固定するためのものである。スピニングリールは通常の使用状態において釣竿の下側に位置する。そのため、使用状態に即して、リールが下側を向く状態を基準の状態として図示している。尚、以下の説明において、径方向外側を単に外側と、径方向内側を単に内側と称することがある。また、竿本体の中心線の方向を前後方向とし、竿先側を前側と、竿尻側を後側とする。スピニングリールが位置する側を下側とし、それとは１８０度反対側を上側とする。釣竿を上側あるいは下側から見たとき、前後方向と直交する方向を左右方向とする。
【００１８】
＜リールシート１＞
リールシート１は、筒状のリールシート本体３と、筒状の可動フード４と、固定ナット５とを備えている。リールシート本体３は、竿本体に移動不能に外装され、リール脚の一方の端部を固定するための固定フード部６を一体的に備えている。リールシート本体３の後端部側の外周面には雄ネジ部７が形成されていて、その雄ネジ部７に固定ナット５が螺着している。可動フード４は、リール脚の他方の端部を固定するためものであって、リールシート本体３に前後方向に移動可能に装着されている。本実施形態において、固定フード部６が前側に位置してリール脚の前端部を保持し、可動フード４は後側に位置してリール脚の後端部を保持し、固定フード部６と可動フード４によってリール脚を前後に狭持する。固定ナット５は、可動フード４の後側に位置して、可動フード４を前後方向に移動させると共に所望の位置に固定する。尚、リールシート本体３の前部の外側には、発泡ＥＶＡやコルク等のグリップ素材からなる筒状のグリップ体８が装着されている。
【００１９】
＜竿本体＞
釣竿の種類は任意であって、並継ぎ竿や振出竿等であってよい。例えば、ワンピースロッドの場合には竿元から穂先まで連続した一本構造である。ツーピースロッドの場合には、釣竿は穂先側の一番竿と元側の二番竿とから構成され、元側の二番竿にリールシート１を備えることになる。本実施形態の釣竿は、ツーピースロッドであり、図示しない一番竿と、図１に示している二番竿とから構成される。
【００２０】
二番竿の竿本体は、二本の中空状の竿体が互いに前後に接合された構成となっている。即ち、竿本体は、前側に位置するメイン竿体２０と後側に位置するリアグリップ竿体２１とから構成される。リアグリップ竿体２１の前部の内側にメイン竿体２０の後部が挿入されて、メイン竿体２０とリアグリップ竿体２１が所定長さに亘って重ね合わせられて互いに連結されている。メイン竿体２０とリアグリップ竿体２１の重ね合わせ部を外側から覆うようにしてリールシート１が竿本体に装着されている。即ち、リアグリップ竿体２１の前部にリールシート本体３が装着されている。リールシート本体３はリアグリップ竿体２１の外周面に、直接接着されてもよいしスペーサを介して接着されてもよい。尚、グリップ体８は、リールシート本体３の前部の外側を覆っていると共にメイン竿体２０も所定長さに亘って覆っている。竿本体は、各種形状のプリプレグを加熱焼成することによって形成される。プリプレグの強化繊維としてはカーボン繊維やガラス繊維等が使用できる。尚、メイン竿体２０は中実状であってもよい。
【００２１】
＜リアグリップ竿体２１＞
リアグリップ竿体２１は、中空状のリアグリップ部３１を一体的に備えた竿体である。リアグリップ部３１は、リアグリップ竿体２１の全長のうち後端部側の所定長さ領域が局所的に径方向外側に膨出形成されたものである。リアグリップ部３１は、リールシート１から所定距離後側に離れて位置していて、リアグリップ竿体２１の後端部を含む所定長さ領域を構成している。従って、リアグリップ部３１は釣竿の竿尻部を構成している。リアグリップ部３１は、釣竿を持っている手の肘や前腕を当てたり、両手でキャストする場合にはリールシート１を持つ手とは反対側の手で把持したりして使用される。リアグリップ部３１の長さは任意であるが、片方の手で把持できる程度の長さであって、一般的な大人の手の人差し指から小指までの四本の指に相当する長さ以上が好ましい。
【００２２】
リアグリップ竿体２１は、前後二つの領域からなり、リアグリップ竿体２１の前部を構成する竿体主部３０と、リアグリップ竿体２１の後部を構成するリアグリップ部３１とから構成されている。竿体主部３０は、リアグリップ竿体２１の前端部から所定長さ領域を構成しており、その長さはリアグリップ竿体２１の全長のうち半分以上の長さを占めている。従って、竿体主部３０はリアグリップ竿体２１の主要部分を構成していて、リアグリップ部３１よりも長い。竿体主部３０は、径略一定のストレート部となっているが、勾配があってもよい。本実施形態において竿体主部３０の内径は略一定であって、竿体主部３０の外径も略一定であるが、竿体主部３０にリールシート１が装着されるため、竿体主部３０のうちリールシート１が装着される部分については補強層を設けて肉厚としてもよい。竿体主部３０の断面形状は図６（ａ）のように円形状である。
【００２３】
＜リアグリップ部３１＞
リアグリップ部３１は、別体構成ではなくリアグリップ竿体２１に一体的に形成された一体構成のものである。リアグリップ部３１は、竿体主部３０よりも大型であって、竿体主部３０に対して径方向外側に膨出した形状となっている。リアグリップ部３１は、竿体主部３０に対して左右両側と下側に大きく膨出している一方、上側にはほとんど膨出していない。即ち、リアグリップ部３１は、竿体主部３０に対して、左右均等に膨出しているものの、上下均等には膨出しておらず、下側に偏重して膨出している。図６（ｂ）〜図８に、リアグリップ部３１の断面形状を示している。図６（ｂ）〜図８において、リアグリップ部３１の断面形状の内側には、竿体主部３０の外周面を二点鎖線で示しており、また、竿体主部３０の上下方向の中心線Ｔ１と左右方向の中心線Ｔ２を一点鎖線で示しており、更に、リアグリップ部３１の断面形状の外側には、断面形状に外接する外接円１００を二点鎖線で示している。
【００２４】
＜リアグリップ部３１の上面４０＞
リアグリップ部３１の上面４０は、竿体主部３０の外周面に対してほとんど膨出しておらず僅かに膨出している程度に留まっている。従って、図１及び図４のようにリアグリップ部３１を一方の側面から見たとき、リアグリップ部３１の上面４０は竿体主部３０の外周面から略一直線状に延びているように見える程に、リアグリップ部３１の上側への膨出量は小さい。リアグリップ部３１の上面４０の周方向の曲率半径は大きく、上面４０は平面に近い湾曲面となっている。図６（ｂ）〜図８に示すようなリアグリップ部３１の断面形状において、リアグリップ部３１の上面４０の曲率半径は外接円１００の半径よりも大きい。外接円１００の直径はリアグリップ部３１の後側ほど大きくなるが、その外接円１００よりもリアグリップ部３１の上面４０の曲率半径は大きく、平面に近い湾曲形状となっている。
【００２５】
＜リアグリップ部３１の下面４１＞
一方、リアグリップ部３１の下面４１は、竿体主部３０の外周面に対して下側に大きく膨出している。リアグリップ部３１の下面４１の前部には、竿体主部３０の外周面と連続し、後側に向けて急な勾配で下側に膨出していく急膨出部４２が形成されていて、リアグリップ部３１の下面４１の後部には、後側に向けて緩やかな勾配あるいは勾配０で下側に膨出していく下面主部４３が形成されている。急膨出部４２と下面主部４３との境界部分は下面４１の変曲点４４となっていて、その変曲点４４には、前後方向に沿った曲率半径が局所的に小さくなった角部が形成されている。変曲点４４より前側の下面４１（急膨出部４２）は、前後方向に沿って上側凸に湾曲した凹状湾曲面となっていて、変曲点４４より後側の下面４１（下面主部４３）は、前後方向に沿って下側凸に湾曲した凸状湾曲面となっている。
【００２６】
＜リアグリップ部３１の側面４５＞
リアグリップ部３１の左右両側面４５は、竿体主部３０に対して左右対称に膨出している。リアグリップ部３１の側面４５の前部には、後側に向けて急な勾配で幅が広がっていく急拡張部４６が形成されていて、リアグリップ部３１の側面４５の後部には、後側に向けて緩やかな勾配あるいは勾配０で幅が広がっていく側面主部４７が形成されている。尚、側面主部４７の前後方向の長さは、下面主部４３の前後方向の長さよりも短く、側面主部４７の前端部は下面主部４３の前端部よりも後側に位置している。左右の側面主部４７の竿体主部３０からの膨出量は互いに略同じであって、且つ、下面主部４３の竿体主部３０からの膨出量とも略同じである。
【００２７】
＜リアグリップ竿体２１の断面形状の変化＞
図６〜図８にリアグリップ竿体２１の断面形状の変化の様子を示している。竿体主部３０の断面形状は図６（ａ）のように円形状であるが、リアグリップ部３１の断面形状は、円形状ではなく、左右対称の非円形状となっている。即ち、リアグリップ竿体２１の断面形状は、竿体主部３０からリアグリップ部３１にかけて徐々に円形状から非円形状へと変化している。そして、リアグリップ部３１においても、図６（ｂ）〜図８のように断面形状は前側から後側に向けて徐々に変化している。
【００２８】
リアグリップ部３１の前端部近傍における断面形状、即ち、下面４１の変曲点４４よりも前側の部分の断面形状は、図６（ｂ）のように円形状に近い非円形状であるが、下面４１の変曲点４４における断面形状は、図７（ａ）のように、円形状とは大きく異なった左右対称の非円形状となっている。下面４１の変曲点４４における断面形状は、下側に向かって細くなった形状であって、略逆三角形状となっている。そこから後側に向けて主として左右方向に膨出していき、リアグリップ部３１の中間位置近傍では、図７（ｂ）のように断面形状は図７（ａ）に比して幅広となるものの略逆三角形状を維持している。但し、リアグリップ部３１の下面４１の周方向の曲率半径は、変曲点４４から後側に向けて徐々に大きくなっていて、下面４１（下面主部４３）は後側に向けて徐々に丸くなっている。そして、図８のようにリアグリップ部３１の後端部近傍においては、下面４１の曲率半径が更に大きくなって下面４１が更に丸味を帯びてきて、断面形状は略逆三角形状あるいは略逆台形状となっている。尚、上面４０と左右両側面４５との間の境界部分には、周方向の曲率半径が局所的に小さくなった角部４８がそれぞれ形成されている。例えば断面形状が略逆三角形状の場合、上面が三角形の一つの辺を構成し、左右両側面が残る二つの辺を構成する。但し、上面４０と左右両側面４５は、何れも、平面ではなく、径方向外側に向けて湾曲した湾曲面となっている。上面４０と左右両側面４５との間の境界部分の角部５８は、竿体主部３０の中心Ｃ１よりも上側に位置している。
【００２９】
＜オフセット＞
また、図６（ｂ）〜図８に竿体主部３０の外周面を二点鎖線で示しているように、リアグリップ部３１の断面形状に対して竿体主部３０は相対的に上側に位置している。逆に言えば、リアグリップ部３１は竿体主部３０に対して下側にオフセットしており、リアグリップ部３１の中心Ｃ２は、竿体主部３０の中心Ｃ１よりも下側にオフセットした位置にある。尚、リアグリップ部３１の中心Ｃ２は、リアグリップ部３１の断面形状における重心位置であり、断面形状の変化によってリアグリップ部３１の中心Ｃ２の位置は変化する。リアグリップ部３１の各断面形状において、リアグリップ部３１の中心Ｃ２は、竿体主部３０の中心Ｃ１よりも下側に位置している。
【００３０】
＜後端開口部と尻栓５０＞
図４及び図５のように、リアグリップ竿体２１の後端部には尻栓５０が装着されている。本実施形態においてリアグリップ竿体２１の後端面２１ａはリアグリップ竿体２１の中心線Ｃ１に対して直交した面ではなく、所定方向に沿って傾斜した傾斜面となっており、具体的には、上部が後側に位置し下部が前側に位置するように傾斜した傾斜面となっている。従って、リアグリップ部３１の上面４０は下面４１よりも後側に延びている。このようにリアグリップ竿体２１の後端面２１ａは斜めにカットされて形成されているが、その開口端面であるリアグリップ竿体２１の後端面２１ａをその法線方向から見ると図５（ｂ）のような形状となる。
【００３１】
リアグリップ竿体２１の後端面２１ａが斜めにカットされた形状となっていることから、尻栓５０もそれに対応した形状となっていて、リアグリップ竿体２１から外部に露出している尻栓５０の部分も傾斜している。尻栓５０の構成は種々であってよいが、本実施形態では、支持部材５１と緩衝部材５２とを備えている。支持部材５１は硬質の合成樹脂製や金属製が好ましく、緩衝部材５２はゴム製が好ましい。支持部材５１は、リアグリップ竿体２１の後端部の内側に挿入される挿入筒部５１ａを備えている。挿入筒部５１ａは、リアグリップ竿体２１の後端部の内周面を内側から支持してリアグリップ竿体２１の後端部の潰れ破損を防止する。挿入筒部５１ａはリアグリップ竿体２１の内周面に接着により固定される。また、支持部材５１の後端部側はリアグリップ竿体２１の後端面２１ａから後側に突出している。支持部材５１の後方突出部には、リアグリップ竿体２１の後端面２１ａに後側から全周に亘って当接する鍔部５１ｂが形成され、支持部材５１の鍔部５１ｂよりも後側の部分に緩衝部材５２が装着されている。尻栓５０の後端面は緩衝部材５２の後端面であるがリアグリップ竿体２１の後端面２１ａと同様に傾斜していて、尻栓５０の後端面とリアグリップ竿体２１の後端面２１ａは互いに平行となっている。このように尻栓５０の後端面が傾斜していることにより、釣竿の後端部の上部が尖った形状となる。従って、釣竿の後端部を例えば筒状のロッドホルダに挿入して釣竿を立てかけるような場合に、釣竿の後端部がロッドホルダに入りやすくなる。また、リアグリップ竿体２１を竿袋に仕舞う場合においても同様に竿袋に尻栓５０側からスムーズに挿入できる。また、リアグリップ部３１の上面４０が下面４１よりも長くなるので、肘等を当てる面の長さ、面積を後側に拡大できる。
【００３２】
以上のように構成された釣竿のリールシート１を例えば右手で把持する場合、左手でリアグリップ部３１を下側から把持して、ダブルハンドキャストすることができる。リアグリップ部３１が下側にオフセットされているので、リアグリップ部３１における下側への膨出量が大きく、従って、キャストする際にリアグリップ部３１を下側から容易に掴むことができる。例えばオーバーハンドキャストにおいて釣竿を前側に振る際、リールシート１を把持する右手を前側に振り出すと同時に、リアグリップ部３１を把持している左手を逆に胸の前に引きつける。リアグリップ部３１が下側にオフセットしていることから、釣竿を前側に振り出す際には、オフセットしている分だけリアグリップ部３１を把持している左手が前側に離れて位置することになり、リアグリップ部３１を手前に大きなストロークで引きつけることができる。従って、釣竿をスムーズに振り抜くことができ、飛距離が延びる。
【００３３】
また、リアグリップ部３１の断面形状は非円形状であるが、リアグリップ部３１の下面４１の変曲点４４よりも後側の領域において、リアグリップ部３１の下面４１の曲率半径が後側に向けて徐々に大きくなっているので、即ち、下面主部４３の曲率半径が後側に向けて徐々に大きくなっているので、リアグリップ部３１の後部を薬指や小指でしっかりと握ることができ、リアグリップ部３１の後部を把持した際の違和感も小さい。一方、リアグリップ部３１の下面主部４３のうち人差し指や中指が当たる前側部分の曲率半径は逆に小さくなっていて細く尖った形状となっているので、リアグリップ部３１の下面主部４３の前側部分に人差し指や中指を当てた際にリアグリップ部３１の下面主部４３の前側部分が周方向の引っ掛かりとなる。そのため、リアグリップ部３１に対して手が周方向に滑りにくくなり、キャスト時に釣竿が左右にぶれにくくなる。このようにリアグリップ部３１の下面４１の変曲点４４よりも後側の領域において、リアグリップ部３１の下面主部４３の曲率半径を後側に向けて徐々に大きくすることによって、握りやすさを確保しつつ周方向の手の滑りも防止できて、リアグリップ部３１をしっかりと把持してキャストすることができる。
【００３４】
また、リアグリップ部３１の上面４０と左右の側面４５との間の境界部分にそれぞれ周方向の曲率半径が局所的に小さくなった角部４８が形成されていて、その角部４８が前後方向に筋状の延びているので、リアグリップ部３１を把持した指の指先を左右の角部４８のうちの一方に引っ掛けることができる。また、他方の角部４８には手の平の例えば母指球近傍を押し付けることができる。そのため、手が周方向により一層滑りにくくなる。
【００３５】
更に、リアグリップ部３１の下面４１の変曲点４４に前後方向の曲率半径が局所的に小さくなった角部が形成されているので、その角部の前側に例えば人差し指を引っ掛けることができる。そのため、キャスト時にリアグリップ部３１を把持する手が前後方向に滑りにくくなり、リアグリップ部３１をしっかりと把持できる。尚、上記説明では、オーバーハンドキャストを例にしたが、例えば、船釣り等において下から投げるアンダーハンドキャストのような場合であっても同様である。
【００３６】
一方、キャスト後においては、リールシート１を持つ右手の肘等をリアグリップ部３１の上面４０に当てることができる。リアグリップ部３１の上面４０が幅広であって平面に近い湾曲面となっているので、肘等を当てる面積が広く、リアグリップ部３１の上面４０に肘等を密着させやすい。従って、釣竿をリールシート１を持つ手と肘等とでしっかりと固定することができ、魚をフッキングする際や、掛かった魚を引き寄せたり取り込んだりする際に、釣竿が安定する。また、リアグリップ部３１に肘等を当てることで、魚のアタリ等の振動が肘等にも伝わることになるが、リアグリップ部３１の上面４０が幅広で平面に近い湾曲面となっているので、振動が高感度で肘等に伝わることになる。
【００３７】
一方、リアグリップ部３１が竿体主部３０に対して下側にオフセットしていて、リアグリップ部３１の竿体主部３０に対する上側への膨出量は非常に小さくなっている。そのため、リアグリップ部３１の全体としてのボリュームは、それほど大きくない。即ち、リアグリップ部３１の下側への膨出量に対してリアグリップ部３１の全体のボリュームは抑制されている。そのため、リアグリップ部３１のホールド感やグリップ力を確保しつつも軽量化が可能になる。
【００３８】
更に、リアグリップ部３１の下面４１の変曲点４４よりも後側の領域においてリアグリップ部３１の断面形状が略逆三角形状や略逆台形状となっているので、下側への膨出量を確保しつつもリアグリップ部３１のボリュームを抑制することができて軽量化できる。
【００３９】
尚、本実施形態ではスピニングリールを取り付けるためのリールシート１を備えた構成であったが、図９のように両軸リールを取り付けるためのリールシート１を備えた構成であってもよい。両軸リールは、通常、釣竿の上側に位置する。可動フード４と固定ナット５はリールシート本体３の前側に位置し、グリップ体８はリールシート本体３の後側に位置する。尚、リールシート１を備えない釣竿にも適用可能である。
【００４０】
また、上記実施形態では、リアグリップ竿体２１の後端面２１ａを斜めにカットしていたが、中心線Ｃ１に対して直交する面であってもよい。更に、リアグリップ部３１の断面形状が非円形状であったが、円形状であってもよい。
【符号の説明】
【００４１】
１    リールシート
３    リールシート本体
４    可動フード
５    固定ナット
６    固定フード部
７    雄ネジ部
８    グリップ体
２０    メイン竿体
２１    リアグリップ竿体
２１ａ  後端面
３０    竿体主部
３１    リアグリップ部
４０    リアグリップ部の上面
４１    リアグリップ部の下面
４２    急膨出部
４３    下面主部
４４    下面の変曲点
４５    リアグリップ部の側面
４６    急拡張部
４７    側面主部
４８    角部
５０    尻栓
５１    支持部材
５１ａ  挿入筒部
５１ｂ  鍔部
５２    緩衝部材
１００  外接円
Ｔ１    上下方向の中心線
Ｔ２    左右方向の中心線
Ｃ１    竿体主部の中心（リアグリップ竿体の中心）
Ｃ２    リアグリップ部の中心
【図１】
2019050745.tif 000003
【図２】
2019050745.tif 000004
【図３】
2019050745.tif 000005
【図４】
2019050745.tif 000006
【図５】
2019050745.tif 000007
【図６】
2019050745.tif 000008
【図７】
2019050745.tif 000009
【図８】
2019050745.tif 000010
【図９】
2019050745.tif 000011